【手続補正書】
【提出日】平成20年6月23日(2008.6.23)
【手続補正１】
【補正対象書類名】明細書
【補正対象項目名】００１７
【補正方法】変更
【補正の内容】
【００１７】
この発明によれば、媒体排出口と傾斜搬送路との間に第１の媒体回動部が設けられ、ホッパーが備える媒体繰り出し部と傾斜搬送路との間に第２の媒体回動部とが設けられるので、第１及び第２の媒体回動部は傾斜搬送路を挟んで装置側面視で対角位置に配置されている。第２の媒体回動部は、媒体繰り出し部から繰り出された媒体を傾斜搬送路に搬送するように回動動作し、また、第１の媒体回動部は、傾斜搬送路から搬送された媒体を媒体排出口に搬送するように回動動作するとともに、媒体排出口が媒体の取り込み口としても用いられる場合には、取り込んだ媒体を傾斜搬送路に搬送するように回動動作する。
【手続補正２】
【補正対象書類名】明細書
【補正対象項目名】００３０
【補正方法】変更
【補正の内容】
【００３０】
図１は、本発明の媒体発行装置の実施の形態を示す透視側面図である。本発明の媒体発行装置１は、カード状記録媒体（単に「媒体２」ということがある）を発行する装置であって、装置奥側に配置され、媒体２を積層して収納するとともに、積層された媒体２のうち最下端部位の媒体２ａを１枚毎に繰り出し可能な媒体繰り出し部２１を有するホッパー２０と、媒体２の積層方向に対して鋭角をなす方向へ向けて、媒体繰り出し部２１から繰り出された媒体２を搬送する傾斜搬送路３０と、傾斜搬送路３０の媒体繰り出し部２１とは反対側の一端である手前側に配置されて、媒体２を排出する媒体排出口１０と、傾斜搬送路３０上に設けられ、媒体２に対して所定情報の書き込みを行なう情報書き込み機構（例えば印字装置７０等）とを少なくとも備えている。
【手続補正３】
【補正対象書類名】明細書
【補正対象項目名】００３８
【補正方法】変更
【補正の内容】
【００３８】
（ホッパー）
ホッパー２０は、スタッカ（カセット式媒体収納容器）２５と媒体送り出し機構２２とより構成され、スタッカ（カセット式媒体収納容器）２５と媒体送り出し機構２２との間には媒体繰り出し部２１が形成されている。
【手続補正４】
【補正対象書類名】明細書
【補正対象項目名】００３９
【補正方法】変更
【補正の内容】
【００３９】
スタッカ（カセット式媒体収納容器）２５は、媒体２を積層収納する媒体収納容器で、アルミニウム合金製又はステンレス鋼製の枠体であり、媒体発行装置１の一部としてホッパー２０から着脱可能にカセット式媒体収納容器として設けられている。なお、本実施の形態では、カセット式媒体収納容器２５と示す。このカセット式媒体収納容器２５内には、接触式又は非接触式のＩＣカードや磁気カード等の媒体２が収納される。その媒体２は、例えば図１においては、後述する媒体排出口１０と略等しい高さの最上位部２７よりも下側に積層して収納されている。なお、そうした媒体２は、利用期限や貨幣価値等の各種情報が完全に記録されていない発行前ものである。また、エンボスの有無は問わない。カセット式媒体収納容器２５の下側には、図１に示すように、ゲート部２３が設けられており、このゲート部２３から、後述する媒体送り出し機構２２によって最低位の媒体２ａが一枚毎送り出される。このゲート部２３は、最低位の媒体２ａを一枚のみ送り出すことができる所定の隙間を設けるように、カセット式媒体収納容器２５の底板とカセット式媒体収納容器２５の側板をなす基準板との間に設けられている。
【手続補正５】
【補正対象書類名】明細書
【補正対象項目名】００４０
【補正方法】変更
【補正の内容】
【００４０】
また、カセット式媒体収納容器２５には、カセット式媒体収納容器２５をホッパー２０から脱着したときにゲート部２３を塞ぐシャッタ２４を有するシャッタ構造（図示しない）が設けられていてもよいし、カセット式媒体収納容器２５内に収容される媒体２を上方から押し下げるように作用するおもり２６が設けられていてもよい。シャッタ構造は、媒体２を入れたカセット式媒体収納容器２５を媒体発行装置１に装着するとき、又はホッパー２０から取り外して持ち運ぶときに、ゲート部２３から媒体２が落下等するのを防ぐことができる。おもり２６は、スライド機構を備えたものでもよいし、チェーン等でカセット式媒体収納容器２５に取り付けられていてもよく、何れの場合もおもり２６の紛失防止に効果的である。
【手続補正６】
【補正対象書類名】明細書
【補正対象項目名】００４１
【補正方法】変更
【補正の内容】
【００４１】
媒体送り出し機構２２は、ホッパー２０の底部にカセット式媒体収納容器２５と対向して配置され、カセット式媒体収納容器２５内に収容される複数の媒体２のうち最低位に載置された媒体２ａをカセット式媒体収納容器２５（即ちホッパー２０）の外に送り出す装置である。この媒体送り出し機構２２は、カセット式媒体収納容器２５の最低位に載置されたカード状媒体２ａをゲート部２３を経由してカセット式媒体収納容器２５（即ちホッパー２０）の外に押し出す押出部材２２１を備えている。この押出部材２２１には、カード状媒体２ａの後端縁に係合してその媒体２ａを押し出す爪部が形成されていることが好ましい。
【手続補正７】
【補正対象書類名】明細書
【補正対象項目名】００４２
【補正方法】変更
【補正の内容】
【００４２】
押出部材２２１は、例えば２つのスプロケット２２３，２２３間に掛け渡されたチェーン２２２に取り付けられている。なお、図１においては、２つのスプロケット２２３，２２３が用いられているが、３つ以上のスプロケットで構成されたものであっても構わない。このスプロケットは、例えば図１に示すように、ステッピングモータ等の駆動手段２２４により伝動ベルト２２５等を介して駆動制御することができ、これにより押出部材２２１は、カード状媒体２ａを押し出すように駆動される。
【手続補正８】
【補正対象書類名】明細書
【補正対象項目名】００４４
【補正方法】変更
【補正の内容】
【００４４】
次に、媒体繰り出し部２１は、カセット式媒体収納容器２５内に収容される複数の媒体２のうち最低位に載置された媒体２ａがカセット式媒体収納容器２５（即ちホッパー２０）の外に繰り出される部分である。換言すると、カセット式媒体収納容器２５の下側に設けられたゲート部２３及びその周辺部により構成される。
【手続補正９】
【補正対象書類名】明細書
【補正対象項目名】００６９
【補正方法】変更
【補正の内容】
【００６９】
廃棄媒体保管部５０は、上記のホッパー２０と同様、アルミニウム合金製又はステンレス鋼製の枠体であり、媒体発行装置１の一部をなすユニットとして着脱可能に設けられている。この廃棄媒体保管部５０内には、一定期間使用後の媒体で、設定された廃棄時期に至った媒体が投入され廃棄のために収容される。なお、廃棄時期の判断は、媒体発行日、有効期限や使用回数などの媒体に記録された情報データを非接触通信部１００又は磁気媒体リーダライタ１２０で読み取ることにより行なうことができる。非接触通信部１００又は磁気媒体リーダライタ１２０の詳細は後述する。
【手続補正１０】
【補正対象書類名】明細書
【補正対象項目名】００７３
【補正方法】変更
【補正の内容】
【００７３】
電磁クラッチ９４の作動即ち対向ローラ９２の駆動タイミングの制御は、搬送路９１の両端に設けられた媒体２の位置を検知するセンサ９５、９６が検知した媒体２の位置に基づき行われるようになっている。即ち、センサ９６が媒体２を検知した場合に第１の媒体回動部８０から搬送路９１への取り込みが開始され、センサ９５及び９６の両方が検知した場合に搬送路９１内の媒体２の存在（一時保留）が検知され、センサ９５のみによる検知から完全に検知されなくなった場合に廃棄媒体保管部５０への媒体２の投入が判断される。なお、センサ９５は媒体２のレバーへの接触を検知するレバー式検知センサであり、センサ９６は媒体２による遮光を検知するフォトセンサであることが好ましいが、その他の方法で検知するセンサであってもよい。
【手続補正１１】
【補正対象書類名】明細書
【補正対象項目名】０１００
【補正方法】変更
【補正の内容】
【０１００】
このとき、廃棄媒体搬送部９０に搬送された廃棄媒体は、そこで保持されずに廃棄媒体保管部５０に投入されてもよいが、好ましくは新規の媒体を発行するまで、すなわち新規媒体がホッパー２０から発行され、印字装置７０で印字され、非接触通信部１００で情報通信が完了したのを確認するまで保持（一時保留）されることが好ましい。そして、新規媒体への情報通信が完了したのを確認し、新規媒体２が発行されてから、廃棄媒体を、一時保留部としての廃棄媒体搬送部９０から廃棄媒体保管部５０に投入することが好ましい。こうした方式をとることにより、新規媒体２を更新発行する場合に、情報書き込み等を確実に行ったのを確認した後に今までの非接触ＩＣカードを廃棄することができ、その結果、非接触ＩＣカードの更新発行においても、迅速且つ確実な処理を行なうことができる。
【手続補正１２】
【補正対象書類名】明細書
【補正対象項目名】０１０１
【補正方法】変更
【補正の内容】
【０１０１】
ここで、廃棄媒体搬送部９０の作動タイミングについて説明する。廃棄媒体搬送部９０が第１の媒体回動部８０から媒体２を受け取る場合、センサ９６が媒体２を検知すると対向ローラ９２が駆動され、廃棄媒体搬送部９０の搬送路９１に媒体２が取り込まれる。そして、センサ９５が媒体２を検知すると、対向ローラ９２の駆動が停止され、媒体２は搬送路９１内に一時保留される。一時保留状態では、両方のセンサ９５、９６が媒体２を検知して、搬送路９１内の媒体２の存在が判断される。廃棄媒体保管部５０に媒体２を投入する場合は、センサ９５のみが媒体２を検知した状態から完全に検知しない状態になるまで、対向ローラ９２が駆動される。
【手続補正１３】
【補正対象書類名】明細書
【補正対象項目名】０１０５
【補正方法】変更
【補正の内容】
【０１０５】
１  媒体発行装置
２，２ａ  媒体
１０  媒体排出口
１１  シャッタ
１２  シャッタ用ソレノイド
１３  シャッタ機構
２０  ホッパー
２１  媒体繰り出し部
２２  媒体送り出し機構
２２１  押出部材
２２２  チェーン
２２３  スプロケット
２２４  駆動手段
２２５  伝動ベルト
２３  ゲート部
２４  シャッタ
２５  カセット式媒体収納容器
２６  おもり
２７  最上位部
３０  傾斜搬送路
３１，３２，３３  対向ローラ
３４  プラテンローラ
５０  廃棄媒体保管部（リジェクトカセット）
５１  底面
５２  センサ
６０  第２の媒体回動部
６１  搬送路
６２，６３  対向ローラ
６４  回動軸
６５  回動軸用モータ
７０  印字装置
７１  印字ヘッド
７２  消去ヘッド
７３  消去ヘッド駆動モータ
７４  印字ヘッド駆動モータ
８０  第１の媒体回動部
８１  搬送路
８２，８３  対向ローラ
８４  回動軸
８５  回動軸用モータ
８６  ベルト
９０  廃棄媒体搬送部
９１  搬送路
９２  対向ローラ
９３  徐電ブラシ
９４  電磁クラッチ
９５  レバー部材（センサ）
９６  センサ
１００  非接触通信部
１０１  搬送路
１０２，１０３  対向ローラ
１０４  アンテナ部
１０５  センサ
１１０  クリーニング媒体保持部
１１１  搬送路
１１２  対向ローラ
１１３  電磁クラッチ
１１４  クリーニング媒体
１２０  磁気媒体リーダライタ
１２１  搬送路
１２２  磁気ヘッド
１２３  対向ローラ
１２４  電磁クラッチ
１３０  電源部
１４０  Ａ駆動モータ
１４１  プーリ
１４２  ギア
１４３，１４４  ベルト
１４５  搬送駆動プーリ
１４６  ギア
１５０  Ｂ駆動モータ
１５１，１５２，１５４  プーリ
１５３，１５６  ベルト
１５５  搬送駆動プーリ
１５７  ギア
Ｓ  センサ
【手続補正１４】
【補正対象書類名】図面
【補正対象項目名】図１
【補正方法】変更
【補正の内容】
【図１】
2007265136.tif 000001
【手続補正１５】
【補正対象書類名】図面
【補正対象項目名】図２
【補正方法】変更
【補正の内容】
【図２】
2007265136.tif 000002